【手続補正書】
【提出日】平成16年10月7日(2004.10.7)
【手続補正１】
【補正対象書類名】明細書
【補正対象項目名】特許請求の範囲
【補正方法】変更
【補正の内容】
【特許請求の範囲】
【請求項１】
メッセージの発呼者がそのメッセージが意図した被呼者に受信されたことを確認することができる方法であって、
ユーザが生成した確認コードを送信されるメッセージと関連付けるステップと、
前記確認コードを含む前記メッセージの受信を確認するためのリクエストを受け取るステップと、
前記リクエストに応答して、前記確認コードを用いて前記メッセージの受信を確認するステップとを備えていることを特徴とするメッセージ受信確認方法。
【請求項２】
メッセージの発呼者がそのメッセージが意図した被呼者に受信されたことを確認することができる方法であって、
前記意図した被呼者へのメッセージを記憶するステップと、
受信ステータスの標識を前記メッセージと関連付けるステップと、
前記メッセージを含む前記メッセージの受信を確認するためのリクエストを受け取るステップと、
前記リクエストに応答して、前記メッセージと関連付けられた前記受信ステータスの標識を解析するステップとを備えていることを特徴とするメッセージ受信確認方法。
【請求項３】
前記記憶するステップでは前記メッセージをメッセージデータベースに記憶し、前記解析するステップは、前記リクエスト内のメッセージと前記データベース内のメッセージとを組み合わせるために前記メッセージデータベースを検索するサブステップを含んでいることを特徴とする請求項２に記載のメッセージ受信確認方法。
【請求項４】
メッセージの発呼者がそのメッセージが意図した被呼者に受信されたことを確認することができる方法であって、
メッセージを受け取るステップと、
前記メッセージを、前記意図した被呼者が前記メッセージを受信していないことを示す第１の状態と前記意図した被呼者が前記メッセージを受信したことを示す第２の状態との２つの状態を有するステータス標識と関連付けるステップと、  前記メッセージを送信するステップと、
前記送信に応答して受信通知を受け取るステップと、
前記受信通知を受け取ることにより、前記ステータス標識を前記第１の状態から前記第２の状態に変更するステップと、
ユーザが生成したメッセージ識別子を含む受信確認のためのリクエストを受け取るステップと、
前記リクエストに応答して、前記メッセージと関連付けられた前記ステータス標識を求めて前記メッセージ識別子に基づいてデータベースを検索するステップと、
前記検索されたステータス標識の状態を検出するステップと、
前記ステータス標識が前記第２の状態にあるという検出結果に基づいて、前記メッセージが受信されたことを通知するステップとを備えていることを特徴とするメッセージ受信確認方法。
【請求項５】
前記メッセージ識別子が前記メッセージ自体に基づいたものであることを特徴とする請求項４に記載のメッセージ受信確認方法。
【請求項６】
メッセージが意図した被呼者に受信されたことを確認するためのシステムであって、
メッセージと関連付けられた受信ステータス標識を記憶するデータベースと、
前記メッセージの発呼者により生成されるメッセージ識別子を含むリクエストであってメッセージの受信ステータスについてのリクエストを受け取り、メッセージの受信ステータスを判定するために前記メッセージ識別子を用いて前記データベースを検索するプロセッサとを備えていることを特徴とするメッセージ受信確認システム。
【請求項７】
前記メッセージ識別子が前記メッセージを含んでいることを特徴とする請求項６に記載のメッセージ受信確認システム。
【請求項８】
前記メッセージ識別子が前記メッセージの前記発呼者により生成されたコードを含んでいることを特徴とする請求項６に記載のメッセージ受信確認システム。
【請求項９】
メッセージの発呼者がそのメッセージが意図した被呼者に受信されたことを確認することができる方法であって、
メッセージ送信リクエストを受け取るステップと、
前記発呼者により作成されたメッセージ識別子およびメッセージを前記発呼者に要求するステップと、
前記メッセージおよび前記メッセージ識別子を記憶するステップと、
前記メッセージの受信通知を受け取ると、意図した被呼者が前記メッセージを受信したことを示すように前記メッセージと関連付けられた受信ステータス標識をセットするステップと、
前記メッセージ識別子を含む受信確認リクエストを受け取るステップと、
前記メッセージ識別子と関連付けられたメッセージを検索するステップと、
前記メッセージを見付け出してから、前記メッセージと関連付けられた前記受信ステータス標識の状態を通知するステップとを備えていることを特徴とするメッセージ受信確認方法。
【請求項１０】
メッセージの発呼者がそのメッセージが意図した被呼者に送信されたことを確認することができる方法であって、
ユーザが生成した確認コードを送信されるメッセージと関連付けるステップと、
前記確認コードを含む前記メッセージの送信を確認するためのリクエストを受け取るステップと、
前記リクエストに応答して、前記確認コードを用いて前記メッセージの送信を確認するステップとを備えていることを特徴とするメッセージ送信確認方法。
【請求項１１】
メッセージの発呼者がそのメッセージが意図した被呼者に送信されたことを確認することができる方法であって、
前記意図した被呼者へのメッセージを記憶するステップと、
送信ステータスの標識を前記メッセージと関連付けるステップと、
前記メッセージを含む前記メッセージの送信を確認するためのリクエストを受け取るステップと、
前記リクエストに応答して、前記メッセージと関連付けられた前記送信ステータスの標識を解析するステップとを備えていることを特徴とするメッセージ送信確認方法。
【請求項１２】
前記記憶するステップでは前記メッセージをメッセージデータベースに記憶し、前記解析するステップは、前記リクエスト内のメッセージと前記データベース内のメッセージとを組み合わせるために前記メッセージデータベースを検索するサブステップを含んでいることを特徴とする請求項１１に記載のメッセージ送信確認方法。
【請求項１３】
メッセージの発呼者がそのメッセージが意図した被呼者に送信されたことを確認することができる方法であって、
メッセージを受け取るステップと、
前記メッセージを、前記意図した被呼者に前記メッセージが送信されていないことを示す第１の状態と前記意図した被呼者に前記メッセージが送信されたことを示す第２の状態との２つの状態を有するステータス標識と関連付けるステップと、
前記メッセージを送信するステップと、
前記メッセージを送信することにより、前記ステータス標識を前記第１の状態から前記第２の状態に変更するステップと、
ユーザが生成したメッセージ識別子を含む送信確認のためのリクエストを受け取るステップと、
前記リクエストに応答して、前記メッセージと関連付けられた前記ステータス標識を求めて前記メッセージ識別子に基づいてデータベースを検索するステップと、
前記検索されたステータス標識の状態を検出するステップと、
前記ステータス標識が前記第２の状態にあるという検出結果に基づいて、前記メッセージが送信されたことを通知するステップとを備えていることを特徴とするメッセージ送信確認方法。
【請求項１４】
前記メッセージ識別子が前記メッセージ自体に基づいたものであることを特徴とする請求項１３に記載のメッセージ送信確認方法。
【請求項１５】
メッセージが意図した被呼者に送信されたことを確認するためのシステムであって、
メッセージと関連付けられた送信ステータス標識を記憶するデータベースと、
前記メッセージの発呼者により生成されるメッセージ識別子を含むリクエストであってメッセージの送信ステータスについてのリクエストを受け取り、メッセージの送信ステータスを判定するために前記メッセージ識別子を用いて前記データベースを検索するプロセッサとを備えていることを特徴とするメッセージ送信確認システム。
【請求項１６】
前記メッセージ識別子が前記メッセージを含んでいることを特徴とする請求項１５に記載のメッセージ送信確認システム。
【請求項１７】
前記メッセージ識別子が前記メッセージの前記発呼者により生成されたコードを含んでいることを特徴とする請求項１５に記載のメッセージ送信確認システム。
【請求項１８】
メッセージの発呼者がそのメッセージが意図した被呼者に送信されたことを確認することができる方法であって、
メッセージ送信リクエストを受け取るステップと、
前記発呼者により作成されたメッセージ識別子およびメッセージを前記発呼者に要求するステップと、
前記メッセージ識別子を記憶するステップと、
前記メッセージが送信された後、前記メッセージが前記意図した被呼者に送信されたことを示すように前記メッセージと関連付けられた送信ステータス標識をセットするステップと、
前記メッセージ識別子を含む送信確認リクエストを受け取るステップと、
前記メッセージ識別子を用いて、前記メッセージと関連付けられた前記送信ステータス標識の状態を通知するステップとを備えていることを特徴とするメッセージ送信確認方法。
【手続補正２】
【補正対象書類名】明細書
【補正対象項目名】０００９
【補正方法】変更
【補正の内容】
【０００９】
あるひとつの確認プロセスにおいては、メッセージの発呼者はメッセージを送信しようとしているのかまたはメッセージの受信確認をしようとしているのかを尋ねられる。もし発呼者が後者を選択すると、関心のあるメッセージを特定するために、発呼者により作成されたメッセージＩＤおよび加入者ＩＤを入力するように求められる。すると、メッセージセンタは、センタがメッセージの送信に引き続いて受信通知を受領したかどうかを示す、メッセージと関連付けられたメッセージ受信標識を調査する。
【手続補正３】
【補正対象書類名】明細書
【補正対象項目名】００１０
【補正方法】変更
【補正の内容】
【００１０】
また、別の変形例においては、メッセージセンタは、メッセージの発呼者が確認動作を選択しようと希望しているかどうかを自動的に発呼者に尋ねるようなことはしない。その代わり、発呼者はメッセージと、発呼者により作成されたメッセージＩＤ（またはメッセージのみ）を入力するように促され、システムは同じメッセージがメッセージテーブルに記憶されているかどうかを確かめる。もし記憶されているならば、システムはメッセージがメッセージテーブル内にどのくらいの期間存在していたかを調べる。もしメッセージが所定時間よりも長い期間記憶されているならば、メッセージの受信確認は行われず、最も新しく受信したメッセージが意図した被呼者に送信される新メッセージとして扱われる。しかしながら、もし調べた結果分かった時間が上記所定時間よりも短い場合、確認動作が自動的に行われる。もしかかる過程によってメッセージが既に送信および受信されたことが検出されると、センタは発呼者にその事実を通知しメッセージの再送信を希望するか否かを尋ねる。